(57)【要約】      （修正有）【課題】表示パネルの出し入れを容易にするパネル固定枠を提供する。【解決手段】固定枠は、四角形の枠体１内に表面側を表示面とする表示パネル８を差込み挿脱可能に挿入し、枠体内に収容した表示パネルの周縁を位置決めして保持する押えカバー３〜６を枠体に取付けた角型表示パネル用固定枠であって、枠体に対する表示パネルの挿脱を可能にするように開閉させる挿脱側の押えカバー６を枠体の左右いずれかの側の辺に設置し、表示パネルの差込み挿脱を横方向に行う構成としている。枠体が縦長の長方形で、枠体のパネル挿脱側の辺にヒンジ１４を介して押えカバー６を回動開閉自在に取付けるとともに、ヒンジに押えカバーを閉じ方向に付勢するスプリングを設置し、押えカバーの開閉が弾力的に行われる機構である。【選択図】図１
0003213921.tif 000002
【実用新案登録請求の範囲】
【請求項１】
四角形の枠体（１）内に表面側を表示面とする表示パネル（８）を差込み挿脱可能に挿入し、上記枠体（１）に該枠体（１）内に収容した表示パネル（８）の周縁を位置決めして保持する押えカバー（３）〜（６）を取付けた角型表示パネル用固定枠であって、枠体（１）に対する表示パネル（８）の挿脱を可能にするように開閉させる挿脱側の押えカバー（６）を枠体（１）の左右いずれかの側の辺に設置し、表示パネル（８）の差込み挿脱を横方向に行う構成とした角型表示パネル用固定枠。
【請求項２】
枠体（１）が縦長の長方形である請求項１に記載の角型表示パネル用固定枠。
【請求項３】
枠体（１）のパネル挿脱側の辺にヒンジ（１４）を介して押えカバー（６）を回動開閉自在に取付けるとともに、上記ヒンジ（１４）に押えカバー（６）を閉じ方向に付勢するスプリング（１７）を設置し、押えカバー（６）の開閉が弾力的に行われる機構とした請求項１又は２に記載の角型表示パネル用固定枠。
【請求項４】
パネル挿脱側の押えカバー（６）の断面を該断面の一端が枠体（１）周縁の外周と正面側を覆い、枠体（１）内の表示パネル（８）の表面側周縁に対して押接され又は正面方向への移動を規制する山形に湾曲形成してなる請求項１〜３のいずれかに記載の角型表示パネル用固定枠。
【請求項５】
押えカバー（３）〜（６）を枠体（１）の各辺に取付けると共に各辺の押えカバー（３）〜（６）の正面側表面幅の１／２以上を、他の固定枠と重ね合わせるための平坦面（３ｂ´），（４ｂ´），（５ｂ´），（６ｂ´）に形成するとともに各平坦面（３ｂ´），（４ｂ´），（５ｂ´），（６ｂ´）の両側の表面をエッジのないアール面にした請求項１〜４のいずれかに記載の角型表示パネル用固定枠。
【請求項６】
枠体（１）を構成する枠材（１ａ）〜（１ｃ）を正方形又は長方形断面とし、押えカバー（３）〜（６）の内面の中間位置に上記枠材（１ａ）〜（１ｃ）の表面外周側のコーナー部に係合して押えカバー（３）〜（６）の取付時の位置決め及び取付姿勢を決める凹溝（３ｃ）〜（６ｃ）を備えた突起部（３ｄ）〜（６ｄ）を形成してなる請求項４又は５に記載の角型表示パネル用固定枠。
【請求項７】
押えカバー（３）〜（６）を突起部（３ｄ）〜（６ｄ）を境に正面カバー（３ｂ）〜（６ｂ）と周面カバー部（３ａ）〜（６ａ）との各別の山形断面に形成した請求項６の角型表示パネル用固定枠。
【請求項８】
パネル挿脱側の押えカバー（６）の周面カバー部（６ａ）のヒンジ取付端側にヒンジ（１４）を取付けるための平坦部（６ａ´）を形成してなる請求項７に記載の角型表示パネル用固定枠。
【請求項９】
枠体（１）の背面側の１／２以上の高さ位置に折畳み揺動可能なスタンドフレーム（９）の上端を軸支して取付け、枠体（１）の背面の下端側に上記スタンドフレーム（９）の開脚状態を係脱可能に保持し且つウェイトを支持するラック（１２）を揺動可能に軸支して取付けたものにおいて、該ラック（１２）の中間位置とスタンドフレーム（９）の下端側と、リンク（１３）で連結し、上記ラック（１２）の開閉操作とスタンドフレーム（９）の開閉を連動させる機構とした請求項１〜８のいずれかに記載の角型表示パネル用固定枠。
【請求項１０】
ラック（１２）及びリンク（１３）を、スタンドフレーム（９）の折畳み姿勢でスタンドフレーム（９）の背面側に突出させないようにスタンドフレーム（９）の枠厚以内で且つ両側枠の内側に設けてなる請求項９に記載の角型表示パネル用固定枠。
【請求項１１】
スタンドフレーム（９）の左右のフレーム部材を、折畳み状態で枠体（１）の左右の枠材（１ｂ），（１ｃ）と重なり合うように枠体（１）の背面側に取付け、スタンドフレーム（９）の左右のフレーム部材（９ａ）の断面の背面側を、他の固定枠（Ｆ）の枠体（１）の押えカバー（３）〜（６）の正面の平坦面（３ｂ´），（４ｂ´），（５ｂ´），（６ｂ´）と重なり合う平坦面（９ａ´）に形成してなる請求項５〜１０のいずれかに記載の角型表示パネル用固定枠。
【請求項１２】
フレーム部材（９ａ）の平坦面（９ａ´）にローレット加工を施してなる請求項１１に記載の角型表示パネル用固定枠。
【考案の詳細な説明】
【技術分野】
【０００１】
この考案は、主として道路工事現場等で使用される交通案内や警告等の表示に用いる角型表示パネル用固定枠に関する。
【背景技術】
【０００２】
従来特許文献１に示すような道路工事現場や、イベント会場や、大型駐車場等で使用される案内・警告表示パネルが公知であり、同文献のパネルの固定枠は、四角形の枠体内に表面側を表示面とする表示パネル収容し、上記枠体に該枠体内に収容した表示パネルの周縁を位置決めして保持する押えカバーを取付けたものである。
【０００３】
上記固定枠においては、枠体各辺の押えカバーはビス止め又はリベット等によって枠体に取付けられているが、これらを改良したものとして枠体の一辺の押えカバーをスプリング付のヒンジを用いて弾力的に開閉が可能に取付け、開状態で内部の表示パネルを差換交換できるものが本考案者等によって提案されている。
【先行技術文献】
【特許文献】
【０００４】
【特許文献１】特開２０１５−１６１７８７号公報
【考案の概要】
【考案が解決しようとする課題】
【０００５】
上記改良型のものは取付強度や開閉の安定性等を懸念して縦長の長方形枠の上端側の枠材に開閉カバーを取付け、表示パネルの挿脱も上端側から上下方向にスライドさせて行われていた。このため特に枠のサイズが１５００×６００（ｍｍ）等のように大型のパネルの場合は、挿入や取り出しの長さが長くなって作業性が悪いほか、長尺のパネルが曲がり易く、変形や破損の危険又は金属製パネルの場合は、作業者の手や足等に触れると負傷、被服の損傷を招く等の問題があった。
【０００６】
また同文献１に示す押えカバーは、Ｃ型の円弧状山形断面に形成されているため、９０°以下のエッジを有するものと比較して取扱時の作業者の身体の負傷等が防止され、取扱いも容易であるが、保管や搬送時に複数の固定枠を積み重ねた場合、枠体の山形の円弧状断面同士が重なり合うため、荷姿が不安定で崩れ易い等の欠点があるほか、枠体背面に突起物がある場合も同様である。
【０００７】
その他枠体の背面に折畳み開閉可能なスタンドフレームや開脚状態、係脱可能に保持する折畳み可能な揺動ラックを取付けたタイプのものでは、ラックの係止位置とスタンドフレームの係合位置を調整しながら合わせる必要がある等の問題があった。
【課題を解決するための手段】
【０００８】
上記課題を解決するための本考案の表示パネル用固定枠は、第１に、四角形の枠体１内に表面側を表示面とする表示パネル８を差込み挿脱可能に挿入し、上記枠体１に該枠体１内に収容した表示パネル８の周縁を位置決めして保持する押えカバー３〜６を取付けた角型表示パネル用固定枠であって、枠体１に対する表示パネル８の挿脱を可能にするように開閉させる挿脱側の押えカバー６を枠体１の左右いずれかの側の辺に設置し、表示パネル８の差込み挿脱を横方向に行う構成としたことを特徴としている。
【０００９】
第２に、枠体１が縦長の長方形であることを特徴としている。
【００１０】
第３に、枠体１のパネル挿脱側の辺にヒンジ１４を介して押えカバー６を回動開閉自在に取付けるとともに、上記ヒンジ１４に押えカバー（６）を閉じ方向に付勢するスプリング１７を設置し、押えカバー６の開閉が弾力的に行われることを特徴としている。
【００１１】
第４に、パネル挿脱側の押えカバー６の断面を該断面の一端が枠体１周縁の外周と正面側を覆い、枠体１内の表示パネル８の表面側周縁に対して押接され又は正面方向への移動を規制する山形に湾曲形成してなることを特徴としている。
【００１２】
第５に、押えカバー３〜６を枠体１の各辺に取付けると共に各辺の押えカバー３〜６の正面側表面幅の１／２以上を、他の固定枠と重ね合わせるための平坦面３ｂ´，４ｂ´，５ｂ´，６ｂ´に形成するとともに各平坦面３ｂ´，４ｂ´，５ｂ´，６ｂ´の両側の表面をエッジのないアール面にしたことを特徴としている。
【００１３】
第６に、枠体１を構成する枠材１ａ〜１ｃを正方形又は長方形断面とし、押えカバー３〜６の内面の中間位置に上記枠材１ａ〜１ｃの表面外周側のコーナー部に係合して押えカバー３〜６の取付時の位置決め及び取付姿勢を決める凹溝３ｃ〜６ｃを備えた突起部３ｄ〜６ｄを形成してなることを特徴としている。
【００１４】
第７に、押えカバー３〜６を突起部３ｄ〜６ｄを境に正面カバー３ｂ〜６ｂと周面カバー部３ａ〜６ａとの各別の山形断面に形成したことを特徴としている。
【００１５】
第８に、パネル挿脱側の押えカバー６の周面カバー部６ａのヒンジ取付端側にヒンジ１４を取付けるための平坦部６ａ´を形成してなることを特徴としている。
【００１６】
第９に、枠体１の背面側の１／２以上の高さ位置に折畳み揺動可能なスタンドフレーム９の上端を軸支して取付け、枠体１の背面の下端側に上記スタンドフレーム９の開脚状態を係脱可能に保持し且つウェイトを支持するラック１２を揺動可能に軸支して取付けたものにおいて、該ラック１２の中間位置とスタンドフレーム９の下端側と、リンク１３で連結し、上記ラック１２の開閉操作とスタンドフレーム９の開閉を連動させる機構としたことを特徴としている。
【００１７】
第１０に、ラック１２及びリンク１３を、スタンドフレーム９の折畳み姿勢でスタンドフレーム９の背面側に突出させないようにスタンドフレーム９の枠厚以内で且つ両側枠の内側に設けてなることを特徴としている。
【００１８】
第１１に、スタンドフレーム９の左右のフレーム部材を、折畳み状態で枠体１の左右の枠材１ｂ，１ｃと重なり合うように枠体１の背面側に取付け、スタンドフレーム９の左右のフレーム部材９ａの断面の背面側を、他の固定枠Ｆの枠体１の押えカバー３〜６の正面の平坦面３ｂ´，４ｂ´，５ｂ´，６ｂ´と重なり合う平坦面９ａ´に形成してなることを特徴としている。
【００１９】
第１２に、フレーム部材９ａの平坦面９ａ´にローレット加工を施してなることを特徴としている。
【考案の効果】
【００２０】
上記構成により本考案の表示パネル用固定枠は次のような効果を奏する。
（１）枠体に対する表示パネルのスライドによる出し入れを横方向移動によって行うことができるので、枠体をスタンド状態にして挿脱でき、自重による撓み変形や損傷が防止され、作業性も良く作業も安全にできる。特に枠体が縦長の長方形の場合はこの効果が大である。
【００２１】
（２）パネル挿脱側の押えカバーをスプリング付のヒンジで開閉できるので操作が簡単で作業性も良く、パネル挿脱時にも押えカバーの先端がパネルの背面側に弾力的に押接された状態で作業ができ、出し入れ作業も簡単である。
【００２２】
（３）押えカバーが山形に湾曲形成されているため、周面にエッジを形成することもなく取扱いが安全且つ容易であるほか、正面側の幅の１／２以上を平坦な面に形成しているため、同型の他の固定枠と安定的に重ね合うことが可能で、搬送や保管時の荷姿が安定し、取り出しも容易である。
【００２３】
（４）押えカバー断面の内面の中間位置に角型断面の枠材のコーナー部と係合し合う突起部が形成されるので、押えカバーの取付け姿勢と固定時の断面先端による規制位置が正確に決められるほか、取付けの安定性やパネル規制（外れ防止）も確実に行われる。
【００２４】
（５）押えカバーの表面カバー部と周面カバー部を各別の山形断面に形成し、その中間部（山の境界部）内面に凹溝付の突起部を設けることにより、周面カバー部内の２ケ所を枠材周面の２つのコーナー部に係合させることが可能になり、押えカバーの取付姿勢が正確且つ安定であり、表示パネル挿脱側（出し入れ側）にヒンジ取付用の平坦面を形成することにより、ヒンジが密着して取付けられ、取付けが安定するとともに表面の突出が防止できる。
【００２５】
（６）枠体背面のスタンドフレームとラックをリンクで連結し、ラック揺動とスタンドフレームの開閉を連動させることにより、スタンドフレームの開閉が一操作で且つ正確に行えるほか、スタンドフレームの折畳み状態でその背面に突出物を突出させないことにより、枠体同士の積み重ねが可能となるほか、スタンドフレームの背面を平坦面にすることで枠体表面の平坦面との重ね合わせが安定する。
【図面の簡単な説明】
【００２６】
【図１】本考案のパネル用固定枠の全体斜視図である。
【図２】同固定枠の全体側面図である。
【図３】固定枠の水平拡大断面図である。
【図４】複数の固定枠を重ねた状態の拡大縦断面図である。
【図５】固定枠のコーナー部の分解拡大斜視図である。
【図６】（Ａ），（Ｂ）は２種類の押えカバーの拡大断面図、（Ｃ）はスタンドフレームのフレーム部材の拡大断面図である。
【図７】表示パネルの別実施例を示した写真である。
【考案を実施するための形態】
【００２７】
図１，図２は本考案のパネル固定枠の全体構成を示す斜視図及び側面図で、固定枠Ｆは縦長の長方形（本実施例では下端の脚を含めて１５６０×５７０ｍｍ）枠体１が正方形断面（同２０×２０ｍｍ）のアルミ製の枠材１ａ〜１ｄ（上中下の横材１ａ，左右の縦材１ｂ，１ｃ）によりビス又はリベット等の固定具２により組付固定されており、左右両側の枠材１ｂ，１ｃの下部突出端が脚を構成している。
【００２８】
上記枠体１の四辺には、図３〜図６に示すようにその正面と周面を覆うように山形断面のアルミ製の押えカバー３〜６が被せられて取付けられており、各押えカバー３〜６の正面側端部と枠体１の表面との間に表面に案内表示７が表示された表示パネル８が枠サイズ内に納まるように収容保持されている。
【００２９】
上記枠体１の背面側の全長の１／２高さ以上（本例では１１５０ｍｍ）高さ位置に折畳み揺動可能な枠状のスタンドフレーム９の上端が、ブラケット１１を介して軸支されており、枠体１の背面下端側には上記スタンドフレーム９の開脚状態を係脱可能に保持し且つ開脚保持用のウェイト（図示しない）を載置して保持する梯子状のラック１２を上下揺動可能に軸支して取付けている。スタンドフレーム９は左右のフレーム部材９ａと中間部及び下部側の枠材９ｂとで構成されている。
【００３０】
そして上記ラック１２の中間位置とスタンドフレーム９の下端側は両サイドにおいてリンク１３で連結され、上記ラック１２の後端を図２の矢印ａ方向に揺動操作することにより、スタンドフレーム９の開閉がワンタッチ操作で矢印ｂ方向に連動する機構になっている。ラック１２の先端には、スタンドフレーム９の下端側のフレーム部材９ｂ上に係脱可能に被さるように下向きに開放されたチャンネル状断面の係脱杆１２ａが横設されている。
【００３１】
押えカバー３〜６は、既述のように枠体１の上辺と下辺の枠材１ａの正面側と周面をそれぞれ覆う上下の押えカバー３，４と、左右の枠材１ｂ，１ｃ正面と周面を覆う押えカバー５，６とからなり、このうち上下辺及び左辺の押えカバー３〜５は、図３〜図６（Ａ）に示すような同一の断面形状に押出し形成されており、それぞれの枠材１ａ，１ｂの外周側に固定具（リベット）２により複数箇所で固着されている。
【００３２】
上記断面形状を上側押えカバー３について詳細に説明する（押えカバー４，５については押えカバー３と同一断面形状なので説明を省略する）。上側押えカバー３は、図３〜図６（Ａ）に示すように枠材１ａの外周面を覆う山形の周面カバー部３ａと正面側を覆う山形の正面カバー部３ｂとが各別の山形が直角方向に交差するように連結して形成されている。
【００３３】
両カバー部３ａ，３ｂは両端がそれぞれ円弧状のアール面に形成され、中間部は各アール部分に連結する平坦面に形成され、周面カバー部３ａの平坦面３ｂ´の幅及び全体幅は、その両端が枠材１ａの外周側断面の全体を覆って位置決め固定するために、正面側の平坦面幅及び全体幅よりも幅広になっている。両カバー部３ａ，３ｂの境界部のアール面と周面カバー部３ｂの他方の端部のアール面外周には、固定枠Ｆの取扱い時の滑りを防止するためのローレット加工が施されている。特に正面カバー部３ｂの平坦面３ｂ´は、後述するフレーム部材９ａの背面の平坦面と重なり合うことにより、他の固定枠Ｆとの積み重ね時の安定性の維持に有用である。
【００３４】
また両カバー部３ａ，３ｂの境界部（押えカバー３の中間位置）の内面には、先端に略直角又はやや鈍角な内向きの凹溝３ｃを形成した突起部３ｄが突設されるとともに、周面カバー部３ｂの他方の端部内面にも上記同様な凹溝３ｅが形成されている。上記凹溝３ｃ，３ｅは、枠材１ａ（又は枠材１ｂ，１ｃ）の正方形断面の外周面の直角なエッジに被さるように係合され、固定具２で締着されることにより、枠材１ａ（又は同１ｂ，1ｃ）の外周に位置決め固定される。
【００３５】
他方、枠体１の右辺枠材１ｃに取付けられる押えカバー６の断面も、図４，図５，図６（Ｂ）に示すように周面側と正面側が共に個別の山形断面の周面カバー部６ａと正面カバー６ｂとからなり、両カバー部６ａ，６ｂの境界部（押えカバー６の中間位置）の内面に、上記同様の凹溝６ｃ付の突起部６ｄを突設し、該凹溝６ｃが枠材１ｃの正面側エッジに係合して位置決め固定される点、正面カバー部６ｂ断面が平坦部６ｂ´とその両側に続くアール面からなる点は、前記押えカバー３〜５と共通している。
【００３６】
しかし、この押えカバー６は後述するように枠体１に対して回動開閉するために、周面カバー部６ｂが断面の先端側（枠体背面側）の半分の傾斜した平坦面６ａ´とその内側において正面カバー部６ｂに続く円弧状のアール断面部によって山形に形成されている。そして上記山形断面の平坦面６ａ´側の枠体背面側の端部内面は、枠材１ｃの周面の背面側端部に当接した状態でヒンジ１４により、正面カバー部６ｂが回動開閉できる状態でリベット等の固定具１６により取付けられている。
【００３７】
上記ヒンジ１４には、押えカバー６を枠体１（枠材１ｃ）の正面に向かって閉じさせる方向に付勢するスプリング１７が付設されており、図４で仮想線で示すように表示パネル８を出し入れする際は、これを人手により弾力的に開いた状態で行う。その結果、表示パネル８の出し入れ後は、把持を開放することにより弾力的に固定枠Ｆの右辺側のパネル挿脱口が閉じられる。
【００３８】
また開閉側の押えカバー６と他の固定された押えカバー３〜５が共に閉じられた状態では、枠体１の正面側に沿って差込収容された表示パネル８は上記押えカバー３〜６の正面カバー部３ｂ，４ｂ，５ｂ，６ｂの先端は、表示パネル８の表面に押設されても良いが、表示パネル８の板厚は種類によって異なる場合もある。このため正面カバー部３ｂ，４ｂ，５ｂ，６ｂの先端と、表示パネル８の表面との間隔Ｓ１は、表示パネル８の最大板厚より僅かにクリアランスＳ２を設けた寸法にすることが望ましい（図４参照）。
【００３９】
表示パネル８は、例えばアルミニウム薄板で裏打ちされた３ｍｍ程度の耐久性のある樹脂合板８ａの表面にプラスチック製でプリズム型反射シート，カプセル型反射シート，高輝度反射板等と称される公知の反射シート８ｂが使用されている。この反射シートは反射面内に多数形成されたセル毎に規則的に且つ広反射角で乱反射することにより、昼夜を問わず遠方からも広角度範囲で視認性を高めるものとなっている。該表示パネルについては後述する。
【００４０】
スタンドフレーム９の左右のフレーム部材９ａは、図６（Ｃ）に示すように長方形又は正方形の角型パイプからなり、その断面の背面側の左右両肩部は、取扱い時の安全のためにアール面に形成されるとともに、アール面の中間は平坦面９ａ´として形成され、この例では全表面にローレット加工が施されている。
【００４１】
上記平坦面９ａ´を形成することにより、図４に示すように保管や輸送に際して複数の固定枠Ｆを積み重ねた場合、下段のフレーム部材９ａの平坦面９ａ´と上段の押えカバー６の平坦面６ｂ´又は押えカバー３〜６の平坦面３ｂ´，４ｂ´，５ｂ´，６ｂ´同士が重なり合うことによって、安定的な積み重ね状態が維持できる。
【００４２】
該構成によれば、前記固定枠Ｆの内側に前記表示パネル８が保持されているため、固定枠Ｆを積み重ねて移送する場合に、表示パネル８の表面が隣接する固定枠Ｆ等と擦れることによって傷付くことを防止することができる。
【００４３】
また、固定枠Ｆを構成する各カバー３，６や、スタンドフレーム９の外周面側にローレット加工を施したことにより、作業者が固定枠Ｆを持ち運ぶ場合に滑りに難くなるとともに、フレーム側に小さな傷がついても目立たなくなる。
【００４４】
図５は、固定枠Ｆの上端コーナー部の組付構造の例を示し、この例では上辺の枠材１ａの端部内にコ字形に形成された固定エレメント１８が挿入されて止めビス１９により固定され、上記固定エレメント１８の露出面に対し、止めビス２１で右側の枠材１ｃをビス止め固定する構造となっている。
【００４５】
２２は枠体１の上端の組付部をカバーするためのプラスチック成形されたコーナー部材で、その内端面と下端面にはそれぞれ内向き又は下向きに突出するフォーク状の差込み部２２ａ，２２ｂが突設され、これらの差込部２２ａ，２２ｂを組立工程中に各押えカバー３，６の周面カバー部３ａ，６ａ内に差込んで、ビス２１によるビス止めを行うことにより取付けられる。差込部２２ａ，２２ｂをフォーク状（又は差込みプラグ状）にすることによりビス２１等を避けて差込みをスムーズに行うことができる。
【００４６】
ちなみに、上述の固定枠Ｆは、縦長の長方形状の表示パネル８が挿脱可能に構成されているが、該固定枠Ｆを横長の表示パネル８が挿脱可能となるように横長に形成しても良い。
【００４７】
次に、図１及び図７に基づいて、表示パネルに表示される案内表示の具体的な構成について説明する。図７は、表示パネルの別実施例を示した写真である。
【００４８】
前記表示パネル８に印刷された案内表示７は、半円形に盛り上がる立体表示により、「工事中」の文字７ａが縦書で印刷表示され、文字７ａは図１に示すように円筒面として立体的に表された表面に反射部と陰影部が写実的に表示されるほか、その背面側には文字影７ｂが表示されて視認性を一層高めるものとなっている。ちなみに、表示パネル８に印刷される案内表示７は、文字７ａに限られず、矢印等の記号であっても良い。
【００４９】
また、該表示パネル８は、印刷される文字７ａや図形等の案内表示７をベタ塗りせず、下地となる高輝度反射材を案内表示７ａに透かせるように印刷されている。さらに、案内表示７の一部については、目を粗くして薄く印刷した薄塗部７ｃを設けた（紗を入れた）ことにより、より下地となる高輝度反射材の効果を高めることができる（図１参照）。
【００５０】
具体的には、表示パネル８（案内表示７）が縦長の場合には、案内表示７の中央左寄りの縦方向に沿って前記薄塗部７ｃを設け（図１参照）、表示パネル８（案内表示７）が横長の場合には、案内表示の中央上寄りの横方向に沿って前記薄塗部７ｃを設けた。
【００５１】
このとき、前記文字影７ｂは、薄塗部７ｃによって寄せた方向と反対側、言い換えると、文字７ａの背面側で且つ右下側にずらした位置に設けられている。また、該文字影７ｂも、前記薄塗部７ｃと同様に、表示パネル８上を塗りつぶさずに目を粗くして印刷することによって、高輝度反射材の反射機能を損なわないように構成されている。
【００５２】
これによれば、通常、上述のパネル固定枠を用いて工事中の現場やイベント会場等に配置される前記表示パネル８は、車道又は歩道の左側端部に設置されるため、案内表示７を見せる対象となる運転手や歩行者が、案内表示７（表示パネル８）から反射する光の刺激を受けやすくなり、より案内表示７がより目立ち易く、見やすくなる。
【００５３】
また、前記案内表示７の構成する書体は、図１に示される例では、文字７ａを一文字毎に全体をかまぼこ状に盛り上げることによって立体的な表示としているが、文字７ａを構成する一画毎をかまぼこ状に盛り上げ、一画毎に前記薄塗部７ａを設けた構成としても良い（図７参照）。
【００５４】
該構成によれば、例えば、運転手が比較的遠く（数メートル〜数十メートル程度）から表示パネル８が視界に入った際に、表示パネル８に印刷された案内表示７ａがより浮き出て明確に見えるようになる。このため、工事現場や車線減少等の注意喚起を行う場合に、運転手が案内表示７（表示パネル８）を見落としたり、文字を読み損ねたりする事態を効率的に防止することができる。
【００５５】
また、上述のパネル固定枠は、表示パネル８の横幅が５５ｃｍ程度のものが用いられることが想定されているが、狭い歩道や、山間道や、傾斜地、カーブの多い場所では、横幅が３０ｃｍ程度の表示パネル８が装着可能に構成されたパネル固定枠が用いられる（図示しない）。この場合、表示パネル８に上述の構成の浮き出る書体で案内表示７を印刷することにより、表示パネル８が小さくとも、案内表示７が見やすく、判りやすくなるため、十分な視認性を確保することができる。
【００５６】
ちなみに、前記案内表示７は、上記のように立体的に見せる書体（フォント）を用いるとともに、図７に示されるように、案内表示７や下地（表示パネル８）の色に、黄色、オレンジ色、赤色、黒色を用いることによって、各段に視認性が向上し、表示パネル８上の案内表示７がより見やすく、より判りやすくなる。
【符号の説明】
【００５７】
Ｆ      固定枠
１      枠体
１ａ〜１ｃ      枠材
３〜６      押えカバー
３ａ〜６ａ      周面カバー
３ｂ〜６ｂ      正面カバー
３ｂ´〜６ｂ´，６ａ´      平坦面
３ｃ，３ｅ，６ｃ      凹溝
３ｄ〜６ｄ      突起部
８      表示パネル
９      スタンドフレーム
９ａ    フレーム部材
９ａ´  平坦面
１２      ラック
１３      リンク
１４      ヒンジ
１７      スプリング
【図１】
0003213921.tif 000003
【図２】
0003213921.tif 000004
【図３】
0003213921.tif 000005
【図４】
0003213921.tif 000006
【図５】
0003213921.tif 000007
【図６】
0003213921.tif 000008
【図７】
0003213921.tif 000009